(57)【要約】【課題】  果実掛袋を果実から除袋する際に短時間で効率よく剥ぎ取りできると共に、果実に傷を付けたり、落下させないようにできる果実掛袋。【解決手段】  果実掛袋１の横方向ほぼ中央部に果実掛袋１を縦方向に引き裂く縦方向ミシン目１３を形成する。このミシン目１３と連続して果実掛袋１を横方向に引き裂く横方向ミシン目１４を形成する。これにより、果実掛袋１の下側両部分を両手で持ち左右に引っ張ることで、縦方向ミシン目及び横方向ミシン目１３，１４を引き裂くことで梗あ部近傍を除く果実Ａのほぼ全体から、除袋することができる。【選択図】      図１
2005237235.tif 000002
【特許請求の範囲】
【請求項１】
遮光性の果実掛袋であって、該果実掛袋の上縁開口部に切欠部を形成することによって、該切欠部の両方に結束片を形成し、前記切欠部に果樹の枝を挿入して前記両方の結束片を枝と共に束ねることで果実を被袋するようにした果実掛袋において、除袋時に前記束ねた両方の結束片を枝と共に残して除袋するように、前記切欠部の下淵から所定距離を離して前記果実掛袋を横方向に引き裂くための横方向引き裂き誘導部を所定長さ形成したことを特徴とする果実掛袋。
【請求項２】
前記果実掛袋の下縁閉口部のほぼ中央部に該果実掛袋を縦方向に引き裂くための縦方向引き裂き誘導部を所定長さ形成したことを特徴とする請求項１記載の果実掛袋。
【請求項３】
前記果実掛袋を横方向或いは縦方向に引き裂くための引き裂き誘導部は、所定長さのミシン目或いは切り込みであることを特徴とする請求項１又は請求項２記載の果実掛袋。
【請求項４】
前記切欠部をＶ字又はＵ字の形状にし、そのＶ字又はＵ字切欠部の最下端より５〜２０ｍｍ下方に前記横方向ミシン目或いは切り込みを形成したことを特徴とする上記請求項３に記載の果実掛袋。
【請求項５】
前記縦方向ミシン目或いは切り込みの上端部が前記横方向ミシン目或いは切り込みに接していることを特徴とする上記請求項３又は４記載の果実掛袋。
【請求項６】
前記横方向ミシン目或いは切り込みが前記開口部上縁に設けた切欠部にほぼ沿うように形成されていることを特徴とする請求項３〜５の内の１つの請求項に記載の果実掛袋。
【請求項７】
遮光性の果実掛袋の上縁開口部に形成された切欠部と該切欠部の両方に形成された結束片を用い、前記切欠部に果樹の枝を挿入して前記両方の結束片を枝と共に束ねて果実を被袋して育成する果実育成方法において、除袋時に果実を被袋した果実掛袋を下縁閉口部のほぼ中央部から引き裂き、前記切欠部の下淵から所定距離を離して前記果実掛袋を横方向に引き裂くための横方向引き裂き誘導部を用いて果実掛袋を横方向に引き裂くことによって、前記束ねた両方の結束片を枝と共に残して除袋し、果実収穫までの間は、梗あ部へ雨水が溜るのを防止するようにしたことを特徴とする果実育成方法。
【発明の詳細な説明】
【技術分野】
【０００１】
本発明は、木の枝に生っている果実に被袋される果実掛袋に関し、特に、桃やネクタリンなどの成長に伴って大玉果になり、枝が食い込んでしまった果実に被袋されている果実掛袋を、果実を落下させずに効率良く容易に除袋することが可能である果実掛袋及び果実育成方法に関する。
【背景技術】
【０００２】
一般的に、果実である桃、ネクタリンなどは、その果実が小さいうちに果実に果実掛袋を掛け、果実の実が大きく成長するまで被袋し、果実が所望の大きさにまで成長すると、果実に太陽光を浴びせ着色させるために、収穫の５〜１０日前頃に果実から果実掛袋を除袋する必要がある。そして、このような成長前の果実に被袋する果実掛袋に係る特許文献１には、簡単に外袋を剥ぎ取ることができると共に、内袋に収納された果実に満遍なく直射日光を浴びせて果実の着色等を促す果実掛袋が開示されている。
【０００３】
また、特許文献２には、上部袋体と下部袋体を接着して構成した果実掛袋において、育成中は下部袋体が脱落しにくく除袋後は、傘となる上部袋体の周縁を補強できるようにした果実掛袋が開示されている。
【特許文献１】登録実用新案第３００５２２８号公報
【特許文献２】特開２００３−２１９７３８号公報
【発明の開示】
【発明が解決しようとする課題】
【０００４】
ところで、桃、ネクタリンなどは、その柄である果梗部が他の果実に比べ極端に短く、果実が、木に生っている状態で成長することに伴い、果梗部上部の枝が桃の上部に食い込んでしまうことが多々ある。
【０００５】
そのため、木の枝が食い込んでしまった桃と枝との間に、被袋した果実掛袋が挟まった状態において、果実を着色させるために果実掛袋を除袋する際には、桃から果実掛袋を時間を掛け丁寧に取り外さなければ、果実掛袋を引っ張ったと同時に桃が一緒に引っ張られてしまい、桃が除袋と同時に地面に落下して傷ついてしまうことが多々あった。しかも、桃などの表面が柔らかく傷の付き易い果物は、その除袋時期を逸してしまうと、着色不良や過熟等によって、桃の商品価値が著しく落ちてしまうことから、除袋作業は短期間で行う必要性がある。
【０００６】
さらに、桃やネクタリンなどの果実には上部に梗あ部と呼ばれるへこみがあるため、被袋している間は果実掛袋により風雨から保護されているが、除袋後に雨が降ったりすると、梗あ部に雨水が溜まってしまい、桃などの果実の腐りの原因にもなる。
【０００７】
本発明は、上述した背景技術を鑑みてなされたものであり、桃やネクタリンなどの傷の付き易い果物に果実掛袋を被袋することにより風雨等から果実の表面である果面を保護できると共に、被袋されている果実掛袋を短時間で効率よく除袋作業をすることが可能であり、さらに、除袋後の梗あ部に雨水が溜まることを防止できる果実掛袋及び果実育成方法を提供することをその目的とする。
【課題を解決するための手段】
【０００８】
本発明の請求項１の果実掛袋は、遮光性の果実掛袋であって、該果実掛袋の上縁開口部に切欠部を形成することによって、該切欠部の両方に結束片を形成し、前記切欠部に果樹の枝を挿入して前記両方の結束片を枝と共に束ねることで果実を被袋するようにした果実掛袋において、除袋時に前記束ねた両方の結束片を枝と共に残して除袋するように、前記切欠部の下淵から所定距離を離して前記果実掛袋を横方向に引き裂くための横方向引き裂き誘導部を所定長さ形成したことを特徴とする。
【０００９】
請求項１の構成によれば、木の枝に生っている果実が、幼果期である際に、果実掛袋の開口部を開いて果実掛袋の内部に果実を収納し、果実掛袋の切欠部の縁部に枝を当接させ、枝の上部に果実掛袋の開口部をすぼめ切欠部の両端に形成された結束片を枝と共に束ねることで果実を被袋する。一定期間を経過すると、果実掛袋の果実は生育し、果実の肥大化により果実掛袋も拡大する。ここで、幼果期から成熟期に至る大半の期間を果実掛袋で被袋され遮光された状態となっているので、害虫や風雨などによる果実への影響を回避することができる。そして、果実が成育するにつれて果実と枝との間隔は狭まっていき、枝が果実に食い込んだ状態において、果実掛袋を左右方向に引っ張ることで、横方向引き裂き誘導部から果実掛袋が引き裂かれて果実掛袋の横方向引き裂き誘導部から下方部分が取り除かれる。これにより、梗あ部近傍を除く果実のほぼ全体から、除袋されることになり、より多くの果面に直射日光を浴びせしめることが可能となるとともに、梗あ部を覆うことで果実収穫までの間は、梗あ部へ雨水が溜るのを防止することが可能となる。
【００１０】
請求項２に係る果実掛袋は、請求項１記載の果実掛袋において、下縁閉口部のほぼ中央部に該果実掛袋を縦方向に引き裂くための縦方向引き裂き誘導部を所定長さ形成したことを特徴とする。
【００１１】
請求項２の構成により、除袋する際、果実掛袋の下方両端を手で左右に引っ張ることで、まず、縦方向引き裂き誘導部に沿って果実掛袋が縦方向に引き裂かれ、次いで果実掛袋は横方向引き裂き誘導部に沿って横方向に引き裂かれて果実掛袋の横方向引き裂き誘導部から下方部分が取り除かれる。
【００１２】
請求項３に係る果実掛袋は、請求項１又は２記載の果実掛袋において、前記果実掛袋を横方向或いは縦方向に引き裂くための引き裂き誘導部は、所定長さのミシン目或いは切り込みであることを特徴とする。
【００１３】
請求項３の構成により、引き裂き誘導部は、所定長さのミシン目或いは切り込みで形成することにより、果実掛袋を引き裂く際に、ミシン目或いは切り込みに沿って果実掛袋が切り離され、容易に果実掛袋を除袋することができる。
【００１４】
請求項４に係る果実掛袋は、請求項３に記載の果実掛袋において、前記切欠部をＶ字又はＵ字の形状にし、そのＶ字又はＵ字切欠部の最下端より５〜２０ｍｍ下方に前記横方向ミシン目或いは切り込みを形成したことを特徴とする。
【００１５】
請求項４の構成により、切欠部をＶ字又はＵ字の形状にしたことにより枝と果実との間に隙間ができないようにして該切欠部の両方に形成した結束片を枝と共に束ねることができる。また、横方向ミシン目或いは切り込みが前記切欠部から５〜２０ｍｍ離して設けてあることにより、除袋の際に縦方向に設けたミシン目或いは切り込みを引き裂いていき、横方向のミシン目或いは切り込みに接したときに果実掛袋が横方向に引き裂かれ、容易に果実掛袋を除袋することができる。この時、横方向ミシン目或いは切り込みは切欠部の最下端より５〜２０ｍｍ離して設けられているから、除袋の際に残る果実掛袋の傘型部分をより少なくして梗あ部を覆うことができ、より多くの果面に直射日光を浴びせしめることが可能となる。
【００１６】
請求項５に係る果実掛袋は、請求項３又は４に記載の果実掛袋において、前記縦方向ミシン目或いは切り込みの上端部が前記横方向ミシン目或いは切り込みに接していることを特徴とする。
【００１７】
請求項５の構成により、縦方向のミシン目或いは切り込みが横方向のミシン目或いは切り込みに接していることにより果実掛袋を引き裂いて除袋する際に、縦方向に設けたミシン目或いは切り込みを引き裂き終えると同時に、次いで、横方向に接しているミシン目或いは切り込みに引き裂き箇所がスムーズに切り替わり容易に除袋することができる。
【００１８】
請求項６に係る果実掛袋は、請求項３乃至５のうちのいずれか１項に記載の果実掛袋において、前記横方向ミシン目或いは切り込みが前記開口部上縁に設けた切欠部にほぼ沿うように形成されていることを特徴とする。
【００１９】
請求項６の構成により、除袋の際に枝に残る果実掛袋の上部の部分をより少なくすることができることから、果面の広範囲に太陽光を照射することができ、より赤く着色良好な果実にすることができる。
【００２０】
請求項７に係る果実育成方法は、遮光性の果実掛袋の上縁開口部に形成された切欠部と該切欠部の両方に形成された結束片を用い、前記切欠部に果樹の枝を挿入して前記両方の結束片を枝と共に束ねて果実を被袋して育成する果実育成方法において、除袋時に果実を被袋した果実掛袋を下縁閉口部のほぼ中央部から引き裂き、前記切欠部の下淵から所定距離を離して前記果実掛袋を横方向に引き裂くための横方向引き裂き誘導部を用いて果実掛袋を横方向に引き裂くことによって、前記束ねた両方の結束片を枝と共に残して除袋し、果実収穫までの間は、梗あ部へ雨水が溜るのを防止するようにしたことを特徴とする。
【００２１】
請求項７の構成により、幼果期において木の枝に生っている果実は、幼果期から成熟期に至る大半の期間を果実掛袋で被袋され遮光された状態となっているので、果実の葉緑素生成を抑制しながら害虫や風雨などによる果実への影響を回避することができる。そして、果実が成育するにつれて果実と枝との間隔は狭まっていき、枝が果実に食い込んだ状態において、横方向引き裂き誘導部を用いて果実掛袋を横方向に引き裂くことによって、前記束ねた両方の結束片を枝と共に残して除袋することによって、果実収穫までの間は、除袋の際に残る果実掛袋の傘型部分をより少なくして梗あ部を覆うことができ、より多くの果面に直射日光を浴びせしめることが可能となるとともに、梗あ部へ雨水が溜るのを防止することができるので、より鮮やかに着色した、高品質の果実を収穫できる。
【発明の効果】
【００２２】
請求項１の果実掛袋によれば、遮光性の果実掛袋であって、該果実掛袋の上縁開口部に切欠部を形成することによって、該切欠部の両方に結束片を形成し、前記切欠部に果樹の枝を挿入して前記両方の結束片を枝と共に束ねることで果実を被袋するようにした果実掛袋において、除袋時に前記束ねた両方の結束片を枝と共に残して除袋するように、前記切欠部の下淵から所定距離を離して前記果実掛袋を横方向に引き裂くための横方向引き裂き誘導部を所定長さ形成したので、果実掛袋を除袋する際に前記横方向引き裂き誘導部により短時間で効率よく除袋作業をすることができる。さらに、果実に触ることなく横方向引き裂き誘導部に沿ってスムーズに果実から果実掛袋を除袋できることから、特に大玉の果実に傷を付けずに落下させないように短時間で効率よく除袋作業することが可能となる。
【００２３】
請求項２の果実掛袋によれば、前記果実掛袋の下縁閉口部のほぼ中央部に該果実掛袋を縦方向に引き裂くための縦方向引き裂き誘導部を所定長さ形成したことにより、果実掛袋の両端を持ち、左右に引っ張るだけで、果実に触れることなく縦方向引き裂き誘導部に沿ってスムーズに果実掛袋が左右に引き裂かれていき、特に大玉の果実に傷を付けずに落下させないように短時間で効率よく除袋作業することが可能となる。
【００２４】
請求項３の果実掛袋によれば、前記果実掛袋を横方向或いは縦方向に引き裂くための引き裂き誘導部は、所定長さのミシン目或いは切り込みで形成することにより、果実掛袋を引き裂く際に、ミシン目或いは切り込みに沿って果実掛袋が引き裂かれていき、容易に果実掛袋を取り除き、果実掛袋を果実から除袋することが可能となる。
【００２５】
請求項４の果実掛袋によれば、前記切欠部をＶ字又はＵ字の形状にし、そのＶ字又はＵ字切欠部の最下端より前記横方向ミシン目或いは切り込みを５〜２０ｍｍ下方に形成したことにより、木の枝が食い込んでしまった桃と枝との間に、被袋した果実掛袋が挟まった部分を残し、効率よく除袋作業をすることが可能となる。さらに、枝と果実との間に隙間ができないようにして果実掛袋の上縁開口部を束ねることができるから、隙間から雨などが入り果実が痛むことを回避することが可能となる。
【００２６】
請求項５の果実掛袋によれば、前記縦方向ミシン目或いは切り込みの上端部が前記横方向ミシン目或いは切り込みに接していることにより、果実掛袋を引き裂く力の方向が縦から横方向にスムーズに切り替わることができ、無理な力がかからずに、短時間で効率よく除袋作業をすることが可能となる。
【００２７】
請求項６の果実掛袋によれば、前記横方向ミシン目が前記開口部上縁に設けた切欠部にほぼ沿うように形成されていることにより、除袋の際に残る果実掛袋をより少なくすることができ、より多くの果面に直射日光を浴びせることが可能となり、着色良好なより高品質の果実を収穫できる。
【００２８】
請求項７の果実育成方法によれば、果実掛袋の上縁開口部に形成された切欠部と該切欠部の両方に形成された結束片を用い、前記両方の結束片を枝と共に束ねて果実を被袋して育成する果実育成方法において、除袋時に前記束ねた両方の結束片を枝と共に残して除袋し、果実収穫までの間は、除袋時に残した結束片が傘のような役割をして、梗あ部へ雨水が溜るのを防止することが可能となる。
【発明を実施するための最良の形態】
【００２９】
以下添付図面を参照しながら、本発明を実施するための最良の形態としての実施例を説明する。但し、以下に説明する実施例は、本発明を限定するためのものではなく、発明の技術的思想の範囲内での適宜な変更は可能なものであることは当然なことである。
【実施例１】
【００３０】
本発明の実施例１を図１及至図５を参照しながら説明する。果実掛袋１はこの果実掛袋１の開口部２のほぼ中央部にＶ字切欠部１２を設けてある。このＶ字切欠部１２は、図２及び図３に示すように果実Ａの袋がけの際、果樹の枝Ｂを包み込んで果実Ａを挿入するためのものである。すなわち、果実掛袋１の開口部２のほぼ中央部にＶ字切欠部１２を形成することにより、Ｖ字切欠部１２の両側に結束片１８、１９が形成され、この結束片１８、１９を枝Ｂと共に束ねることで果実Ａを被袋するように構成している。なお、本実施例の果実Ａは、完熟状態において表面が柔らかくなる桃として説明するものである。
【００３１】
果実掛袋１は、その全体が縦方向に並んだ繊維によりなる紙製のものであり、図１に示すように果実掛袋１にはその正面側及び背面側に、果実掛袋１のほぼ中央に位置して縦方向に延びる縦方向引き裂き誘導部としての縦方向ミシン目１３を紙の繊維の縦目に沿って設けている。
【００３２】
なお、縦方向ミシン目１３の下部５〜１０ｍｍには、縦方向引き裂き誘導部としての切り込み１７が設けてあり、この切り込み１７は、縦方向ミシン目１３の下部であり、且つ、果実掛袋の下端部から上方に向けて５〜１０ｍｍ設けられているもので、前述した縦方向ミシン目１３と連続されていることにより、果実掛袋１の両端を持ち、左右に引っ張ることにより、果実掛袋１は切り込み１７の位置から左右に引き裂かれ始め、スムーズに縦方向ミシン目１３につながるようにして引き裂きが誘導される。
【００３３】
上述したように、縦方向ミシン目１３は、果実掛袋１の紙の繊維の縦目に沿って形成してあり、果実掛袋１を引き裂く際の誘導部となるように縦方向ミシン目１３下部に切り込み１７を設けることにより、引き裂きの開始が容易になり、縦方向ミシン目１３に沿って果実掛袋１を容易に引き裂くことが可能である。
【００３４】
この縦方向ミシン目１３は、後述する横方向に設けられた横方向引き裂き誘導部としての横方向ミシン目１４に到達する位置まで果実掛袋１の下端より上方に向かって伸びている。
【００３５】
また、横方向ミシン目１４は、Ｖ字切欠部１２の底部よりさらに５〜２０ｍｍ下方に位置して果実掛袋１の横方向に沿って設けてある。ここで、横方向とは、必ずしも袋の上下方向に対して直角な左右方向に限るものではなく、袋の紙の繊維に沿わない方向、つまり斜めの方向をも含み得るものである。なお、縦方向ミシン目１３及び横方向ミシン目１４は、袋の正面側と背面側の両面の対向する位置に形成されており、ルーレットなどにより切込みが断続的に形成されるものである。また、本実施例においては、横方向ミシン目１４は、果実掛袋１を横方向ミシン目１４から完全に切り離すように、果実掛袋１の全周に渡って形成されるとともに、縦方向ミシン目１３の上端部が横方向ミシン目１４まで達し、これら縦方向ミシン目１３及び横方向ミシン目１４は、全体としてＴ字型に形成されている。
【００３６】
また、前記果実掛袋１は１枚の矩形の原紙を二つ折りにし、胴部貼代１５、及び果実掛袋１の下部の重なる内面部分を概ね５〜１５ｍｍの範囲で接着剤などで接着することにより袋状に形成したものであり、遮光性を有すると共に適度に通気性を持った紙で形成されている。また果実掛袋１の胴部貼代１５の上部である果実掛袋１の上方には、果実Ａに果実掛袋１を被袋した際に、この果実掛袋１を固定するための例えば金属製の線材などの結縛用留め金１６が封止されている。
【００３７】
次に、果実掛袋１の使用方法について説明する。
【００３８】
図２に示すように、横方向の枝の下方向に生っている果実Ａが、幼果期である際に、果実掛袋１の開口部２を開き果実掛袋１の上方の開口部２より果実Ａを果実掛袋１の内部に収納し、果実掛袋１のＶ字切欠部１２の縁部に枝Ｂを当接させ、枝Ｂの上部に果実掛袋１の開口部２をすぼめ、Ｖ字切欠部１２の両端に形成された結束片１８、１９を折り重ねて、この折り重ねた箇所を結縛用留め金１６を折り曲げて固定することにより、果実Ａへの果実掛袋１の被袋作業を行う。
【００３９】
そして、一定期間を経過すると、果実掛袋１内の果実Ａは生育し、果実Ａの肥大化により果実掛袋１も拡大する。尚、幼果期から成熟期に至る大半の期間を果実掛袋１で被袋され遮光された状態となっているので、害虫や風雨などによる果実Ａへの影響を回避することができる。
【００４０】
また、果実Ａが成育するにつれて果実Ａと枝Ｂとの間隔Ｌは狭まっていき、枝Ｂが果実Ａに食い込んだ状態において、果実掛袋１を除袋する際は、該枝Ｂ上で果実掛袋１の開口部２の結束片１８、１９が結縛用留め金１６で結縛されていることにより、図４に示すように、果実掛袋１の下側両部分を両手で持ち左右に引っ張ることで、縦方向ミシン目１３の下部にある切り込み１７から上方に向かって縦方向ミシン目を引き裂いていき、次いで、横方向ミシン目が引き裂き終えると、果実掛袋１の横方向ミシン目１４の下方部分が、果実Ａから取り除かれる。このように、果実掛袋１に横方向ミシン目１４が形成されていることにより、果実掛袋１の横方向ミシン目１４の下方部分、すなわち、梗あ部Ｃ近傍を除く果実Ａのほぼ全体から、除袋することができる。
【００４１】
さらに、果実Ａに枝Ｂが食い込んでいる場合には、枝Ｂに果実掛袋１の開口部２の結束片１８、１９が結縛用留め金１６で結縛されていることにより、従来の果実掛袋の除袋作業のように、被袋された果実Ａを手で保持した状態でゆっくりと除袋作業をせずに、図４に示すように、単に、果実掛袋１の下方両端を手で左右に引っ張ることで、縦方向ミシン目１３の下部にある切り込み１７から上方に向け引き裂き、さらに、Ｖ字切欠部１２の底部より５〜２０ｍｍ下方に横方向ミシン目１４が設けてあることにより、縦方向ミシン目１３の引き裂かれた箇所が横方向ミシン目１４に接すると、果実掛袋１を引き裂く力の方向が縦から横方向にスムーズに切り替わる。すなわち、縦方向ミシン目１３を引き裂き終えると同時に、次に、横方向ミシン目１４が切り取られていく。このような除袋作業時においては、果実Ａに、無理な力を掛けずに、時間を掛け丁寧に除袋作業をしなくても果実Ａを傷付けたり落下させることなく除袋作業をすることができる。
【００４２】
また、上述した作業を終えた後は、図５に示すように、結束された結束片１８、１９が果実Ａの上部に傘のように残る。これにより、傘のような役割として果実Ａの窪みである梗あ部Ｃに雨水などが溜まり、果実Ａに傷が付いたり腐ることを防ぐことができる。
【００４３】
そして、果実Ａが収穫時期になると、図５の状態から果実掛袋１の残った部分は除袋する必要はなく、果実Ａを効率よく収穫することができる。
【００４４】
以上の説明から明らかなように、本発明においては、果実掛袋の紙の繊維方向が縦方向であることから、この果実掛袋は横方向に引き裂きにくいために、横方向の引き裂き誘導部である横方向ミシン目が最も主要な構成要件であることが理解できる。従って、縦方向の引き裂き誘導部は、紙等の性質によっては、場合により省略することもできる。もちろん、縦方向の引き裂き誘導部を適宜設けることで、果実掛袋の除袋がより容易になることは言うまでもない。
【実施例２】
【００４５】
図６は本発明の実施例２を示したものであり、前記実施例１と同一部分には同一符号を付しその詳細な説明を省略する。図１で示したように実施例１の果実掛袋１には、果実掛袋１の全周に渡って横方向ミシン目１４が設けてあるがこの横方向ミシン目１４は道筋としての役割であり、本実施例においては、図６で示すように、横方向ミシン目２４は、果実掛袋１の両側縁に達することなく、切込みの導入部となる袋のほぼ中央に形成する縦方向ミシン目１３との交点を中心として横方向に２０〜３０ｍｍ程度の幅であれば、除袋の際に、縦方向に設けた縦方向ミシン目１３を引き裂くことにともなって、縦方向ミシン目１３に沿った引き裂きが横方向の横方向ミシン目２４に達した時に、横方向の引き裂きが横方向ミシン目２４によって誘発され、スムーズかつ容易に果実掛袋１を除袋することができる。
【実施例３】
【００４６】
図７は本発明の実施例３を示したものであり、前記実施例１と同一部分には同一符号を付しその詳細な説明を省略する。図１で示したように実施例１の果実掛袋１には、横方向ミシン目１４に達する縦方向ミシン目１３が設けてあるがこの縦方向ミシン目１３は引き裂きを導く道筋としての役割であり、本実施例においては、図７で示す果実掛袋１のように切込みの導入部となる果実掛袋１の下端部に切り込み１７が設けてあり、紙の繊維の縦目に沿った縦方向ミシン目３３があれば図１の縦方向ミシン目１３のように果実掛袋１の下縁から横方向ミシン目１４の交点まで縦方向ミシン目を形成しなくても果実掛袋１を引き裂いて除袋することができる。すなわち、果実掛袋１に設けてある縦方向ミシン目３３は縦方向ミシン目１３の下縁より２０〜３０ｍｍほどあれば果実掛袋１を引き裂くきっかけに十分である。同様に図１で示す実施例１の果実掛袋１には、果実掛袋１の全周に渡って横方向ミシン目１４が設けてあるがこの横方向ミシン目１４は道筋としての役割であり、図７で示す果実掛袋１ように切込みの導入部となる袋のほぼ中央に位置して、縦方向ミシン目３３の延長線上の交点に位置する横方向ミシン目３４があれば図１の横方向ミシン目１４のように果実掛袋１の両端までなくても果実掛袋１は引き裂かれていく。また、前記果実掛袋１に設けてある横方向ミシン目３４は果実掛袋１の切込みの導入部となる果実掛袋１のほぼ中央に位置して、縦方向ミシン目３３の延長線上の交点に２０〜３０ｍｍほどあれば、除袋の際に縦方向に設けた縦方向ミシン目３３を引き裂いて行き、横方向の横方向ミシン目３４に接した時にスムーズに果実掛袋１が横方向に引き裂かれ、果実掛袋１を引き裂くきっかけに十分である。
【実施例４】
【００４７】
また、図８は本発明の第４実施例を示したものであり、前記実施例１と同一部分には同一符号を付しその詳細な説明を省略する。果実掛袋１はその正面側及び背面側に果実掛袋１の横方向ほぼ中央部に果実掛袋１の縦方向、紙の繊維の縦目に沿って縦方向ミシン目１３が設けてある。この縦方向ミシン目１３は、後述する横方向ミシン目４４ａ、ｂの接点にほぼ到達する位置まで果実掛袋１の下端より上方に向かって伸びている。さらに果実掛袋１のＶ字切欠部１２にほぼ沿うように、横方向ミシン目４４ａ、ｂが形成されている。これにより、図１で示す果実掛袋１の横方向に向かって伸びる横方向ミシン目１４の位置と開口部２の上縁に果梗部又は果樹の枝を挿入するためのＶ字切欠部１２の間の空間に斜め上方に向かって伸びる横方向ミシン目４４を設けることにより、除袋の際に残る果実掛袋１の傘型部分をより少なくして梗あ部Ｃを覆うことができ、より多くの果面に直射日光を浴びせしめることが可能となる。
【００４８】
以上、本発明の実施例について詳述したが本発明は、前記実施例に限定されるものではなく、本発明の要旨の範囲内で種々の変形実施が可能である。例えば果実掛袋の開口部にあるＶ字切欠部の形状は、Ｖ字型に限定するものではなく、Ｕ字型、台形型、円弧形などとすることも可能であり、この場合も、上述した効果を得ることができる。
【図面の簡単な説明】
【００４９】
【図１】本発明の実施例１を示す果実掛袋の正面図である。
【図２】同上、袋がけをする状態を示す斜視図である。
【図３】同上、使用状態を示す斜視図である。
【図４】同上、除袋時の状態の斜視図である。
【図５】同上、除袋後の状態を示す斜視図である。
【図６】本発明の実施例２を示す果実掛袋の正面図である。
【図７】本発明の実施例３を示す果実掛袋の正面図である。
【図８】本発明の実施例４を示す果実掛袋の正面図である。
【符号の説明】
【００５０】
１    果実掛袋
２    開口部
１２  Ｖ字切欠部（切欠部）
１３，３３  縦方向ミシン目（縦方向引き裂き誘導部）
１４，２４，３４，４４  横方向ミシン目（横方向引き裂き誘導部）
１５  胴部貼代
１６  結束用留め金
１７  切り込み（縦方向引き裂き誘導部）
１８，１９  結束片
Ａ    果実
Ｂ    枝
Ｃ    梗あ部
【図１】
2005237235.tif 000003
【図２】
2005237235.tif 000004
【図３】
2005237235.tif 000005
【図４】
2005237235.tif 000006
【図５】
2005237235.tif 000007
【図６】
2005237235.tif 000008
【図７】
2005237235.tif 000009
【図８】
2005237235.tif 000010